(57)【要約】【課題】ユーザを取り巻く環境に最も適した音楽を再生する、携帯電話端末を提供する。【解決手段】携帯電話端末１００は、音楽データを格納する携帯電話６０と、携帯電話端末１００を有するユーザの置かれた、環境に関する環境情報を検知し取得するセンサ４０と、格納された音楽データを、複数のグループに分類する読取処理部５０と、取得したユーザの置かれた環境情報に基づいて、音楽データのグループ分類から、一又は複数のグループを選択する再生制御処理部１０と、選択されたグループに属する音楽データを再生出力する音声出力部３０と、を備える。【選択図】図１
2009200948.tif 000002
【特許請求の範囲】
【請求項１】
音楽データを格納する格納手段と、
自端末を有するユーザの置かれた、環境に関する環境情報を検知し取得する環境情報検知取得手段と、
格納された前記音楽データを、複数のグループに分類するグループ分類手段と、
取得した前記ユーザの置かれた前記環境情報に基づいて、前記音楽データのグループ分類から、一又は複数のグループを選択し、選択された前記グループに属する前記音楽データを再生出力する音声再生出力手段と、
を含むことを特徴とする携帯電話端末。
【請求項２】
請求項１に記載の携帯電話端末であって、
前記環境情報検知取得手段は、
前記自端末の周囲の温度及び湿度を計測する温度湿度計測手段と、
計測された当該自端末の周囲の温度及び湿度の大小によって分類する温度湿度分類手段と、
を更に含むことを特徴とする携帯電話端末。
【請求項３】
請求項１又は２に記載の携帯電話端末であって、
前記グループ分類手段は、
格納された前記音楽データを読み取る読取手段と、
読み取られた前記音楽データの音質及びテンポを計測する音質テンポ計測手段と、
計測された前記音楽データの音質及びテンポの高低によって分類する音質テンポ分類手段と、
を更に含むことを特徴とする携帯電話端末。
【請求項４】
請求項１乃至３のいずれか１項に記載の携帯電話端末であって、
取得した前記ユーザの置かれた前記環境情報及びグループに分類された前記音楽データを記憶する記憶手段
を更に含むことを特徴とする携帯電話端末。
【請求項５】
携帯電話端末における音楽再生方法であって、
音楽データを格納する格納ステップと、
自端末を有するユーザの置かれた、環境に関する環境情報を検知し取得する環境情報検知取得ステップと、
格納された前記音楽データを、複数のグループに分類するグループ分類ステップと、
取得した前記ユーザの置かれた前記環境情報に基づいて、前記音楽データのグループ分類から、一又は複数のグループを選択し、選択された前記グループに属する前記音楽データを再生出力する音声再生出力ステップと、
を含むことを特徴とする音楽再生方法。
【請求項６】
請求項５に記載の音楽再生方法であって、
前記環境情報検知取得ステップは、
前記自端末の周囲の温度及び湿度を計測する温度湿度計測ステップと、
計測された当該自端末の周囲の温度及び湿度の大小によって分類する温度湿度分類ステップと、
を更に含むことを特徴とする音楽再生方法。
【請求項７】
請求項５又は６に記載の音楽再生方法であって、
前記グループ分類ステップは、
格納された前記音楽データを読み取る読取ステップと、
読み取られた前記音楽データの音質及びテンポを計測する音質テンポ計測ステップと、
計測された前記音楽データの音質及びテンポの高低によって分類する音質テンポ分類ステップと、
を更に含むことを特徴とする音楽再生方法。
【請求項８】
請求項５乃至７のいずれか１項に記載の音楽再生方法であって、
取得した前記ユーザの置かれた前記環境情報及びグループに分類された前記音楽データを記憶する記憶ステップ
を更に含むことを特徴とする音楽再生方法。
【請求項９】
携帯電話端末における音声再生プログラムであって、
音楽データを格納する格納手順と、
自端末を有するユーザの置かれた、環境に関する環境情報を検知し取得する環境情報検知取得手順と、
格納された前記音楽データを、複数のグループに分類するグループ分類手順と、
取得した前記ユーザの置かれた前記環境情報に基づいて、前記音楽データのグループ分類から、一又は複数のグループを選択し、選択された前記グループに属する前記音楽データを再生出力する音声再生出力手順と、
をコンピュータに実行させることを特徴とする音声再生プログラム。
【請求項１０】
請求項９に記載の音声再生プログラムであって、
前記環境情報検知取得手順は、
前記自端末の周囲の温度及び湿度を計測する温度湿度計測手順と、
計測された当該自端末の周囲の温度及び湿度の大小によって分類する温度湿度分類手順と、
を更にコンピュータに実行させることを特徴とする音楽再生プログラム。
【請求項１１】
請求項９又は１０に記載の音楽再生プログラムであって、
前記グループ分類手順は、
格納された前記音楽データを読み取る読取手順と、
読み取られた前記音楽データの音質及びテンポを計測する音質テンポ計測手順と、
計測された前記音楽データの音質及びテンポの高低によって分類する音質テンポ分類手順と、
を更にコンピュータに実行させることを特徴とする音楽再生プログラム。
【請求項１２】
請求項９乃至１１のいずれか１項に記載の音楽再生プログラムであって、
取得した前記ユーザの置かれた前記環境情報及びグループに分類された前記音楽データを記憶する記憶手順
を更にコンピュータに実行させることを特徴とする音楽再生プログラム。
【発明の詳細な説明】
【技術分野】
【０００１】
本発明は、携帯電話端末、音楽再生方法及び音楽再生プログラムに関する。
【背景技術】
【０００２】
近年、携帯端末に関する技術が進歩して、ユーザによって持ち運びが容易に可能でありながら、スケジュール管理機能や音楽再生等の機能を備えた携帯端末が普及しつつある。
【０００３】
このような携帯端末に関連する技術として、例えば、特許文献１に記載されたものがある。
【０００４】
特許文献１に記載されたものは、ユーザのスケジュールを管理する機能と、検索用のキーワードを利用し、内蔵する音楽の曲目を選曲し再生する機能とを備えた携帯端末に関するものである。
【特許文献１】特開２００７−２４１９２４号公報
【発明の開示】
【発明が解決しようとする課題】
【０００５】
しかしながら、上記文献に記載されたものは、以下の点で改善の余地を有していた。
第一に、ユーザのスケジュールをスケジューラによって管理しているので、スケジュールに関連する音楽しか選曲されず、実際にユーザが位置する環境に適した音楽を再生することができない、という問題があった。
第二に、再生される音楽は、検索用のキーワードを利用して再生する音楽が選曲されているので、携帯端末を有するユーザの気分やユーザが位置する環境と、再生される音楽とが合致せず、ユーザが位置する環境に適していない、という問題があった。
【０００６】
本発明は上記事情に鑑みてなされたものであり、その目的とするところは、ユーザを取り巻く環境に最も適した音楽を再生する、携帯電話端末を提供することにある。
【課題を解決するための手段】
【０００７】
本発明によれば、音楽データを格納する格納手段と、
自端末を有するユーザの置かれた、環境に関する環境情報を検知し取得する環境情報検知取得手段と、
格納された前記音楽データを、複数のグループに分類するグループ分類手段と、
取得した前記ユーザの置かれた前記環境情報に基づいて、前記音楽データのグループ分類から、一又は複数のグループを選択し、選択された前記グループに属する音楽データを再生出力する音声再生出力手段と、
を含む携帯電話端末が提供される。
【０００８】
本発明によれば、携帯電話端末における音楽再生方法であって、
音楽データを格納する格納ステップと、
自端末を有するユーザの置かれた、環境に関する環境情報を検知し取得する環境情報検知取得ステップと、
格納された前記音楽データを、複数のグループに分類するグループ分類ステップと、
取得した前記ユーザの置かれた前記環境情報に基づいて、前記音楽データのグループ分類から、一又は複数のグループを選択し、選択された前記グループに属する音楽データを再生出力する音声再生出力ステップと、
を含む音楽再生方法が提供される。
【０００９】
本発明によれば、携帯電話端末における音声再生プログラムであって、
音楽データを格納する格納手順と、
自端末を有するユーザの置かれた、環境に関する環境情報を検知し取得する環境情報検知取得手順と、
格納された前記音楽データを、複数のグループに分類するグループ分類手順と、
取得した前記ユーザの置かれた前記環境情報に基づいて、前記音楽データのグループ分類から、一又は複数のグループを選択し、選択された前記グループに属する音楽データを再生出力する音声再生出力手順と、
をコンピュータに実行させる音声再生プログラムが提供される。
【発明の効果】
【００１０】
本発明によれば、ユーザを取り巻く環境に最も適した音楽を再生する、携帯電話端末、音楽再生方法及び音楽再生プログラムが提供される。
【発明を実施するための最良の形態】
【００１１】
以下、本発明の実施の形態について、図面を用いて説明する。尚、すべての図面において、同様な構成要素には同様の符号を付し、適宜説明を省略する。
【００１２】
図１は、本発明の実施形態である携帯電話端末の構成を示すブロック図である。
【００１３】
図１において、携帯電話端末１００は、音楽データを格納する携帯電話６０（格納手段）と、携帯電話端末１００を有するユーザの置かれた、環境に関する環境情報を検知し取得するセンサ４０（環境情報検知取得手段）と、格納された音楽データを、複数のグループに分類する読取処理部５０（グループ分類手段）と、取得したユーザの置かれた環境情報に基づいて、音楽データのグループ分類から、一又は複数のグループを選択する再生制御処理部１０と、選択されたグループに属する音楽データを再生出力する音声出力部３０（音声再生出力手段）と、を備えている。
【００１４】
また、携帯電話端末１００は、メモリ２０を有しており、センサ４０によって環境情報としての温度と湿度が計測されると、その計測データをメモリ２０に保存する。
【００１５】
次に、携帯電話端末１００は、読取処理部５０によって携帯電話６０に格納されている音楽データの音質やテンポが計測されると、その計測データをメモリ２０に保存する。
【００１６】
そして、再生制御処理部１０は、メモリ２０に保存された環境情報である温度と湿度から、メモリ２０に保存されている音楽データの音質やテンポを参照し、ユーザを取り巻く環境に適合した音楽データを選曲する。
【００１７】
これにより、音声出力部３０は、選曲された音楽データを再生し出力することができるので、ユーザが位置する環境に最も適した音楽を、ユーザに聴覚させることができる。
【００１８】
このように、本実施の形態では、携帯電話端末１００が、音楽を再生可能な携帯電話６０に対し、温度と湿度の計測データから、ユーザを取り巻く環境に適した音楽を選曲し、再生処理を施すものである。
【００１９】
次に、本実施の形態において、携帯電話端末１００が処理する全体動作について、図２に示すフローチャートを用いて説明する。
【００２０】
図２に示すフローチャートでは、携帯電話端末１００が、ステップＳ０１において、後述する環境情報取得処理を行い、ステップＳ０２において、後述する音楽データ分類処理を行い、ステップＳ０３において、グループ選択再生処理を行うようになっている。
【００２１】
次に、ステップＳ０１における環境情報取得処理について、図３に示すフローチャートを用いて詳細に説明する。
【００２２】
図３に示すフローチャートでは、携帯電話端末１００が、ユーザが置かれた環境に関する情報として、例えば、温度と湿度を計測し、その状況に応じて状態をグループ分けする処理を示したものである。
【００２３】
まず、携帯電話端末１００は、携帯電話端末１００を有するユーザの置かれた環境において、環境情報としてセンサ４０が気温を計測し、その気温を温度データとして管理する（ステップＳ１０）。
【００２４】
そして、携帯電話端末１００は、センサ４０によって計測された温度に対し、その温度が基準値以上か基準値未満かを判定する（ステップＳ１１）。
【００２５】
ここで、計測された温度が基準値以上の場合には（ステップＳ１１のＹｅｓ）、ステップＳ１２へ進み、センサ４０は湿度を計測し、計測された湿度を湿度データとして管理する。
【００２６】
一方、計測された温度が基準値未満の場合には（ステップＳ１１のＮｏ）、ステップＳ１３へ進み、センサ４０は湿度を計測し、計測された湿度を湿度データとして管理する。
【００２７】
そして、携帯電話端末１００は、ステップＳ１２において計測された湿度が、基準値以上か基準値未満かを判定し（ステップＳ１４）、計測された湿度が基準値以上の場合には（ステップＳ１４のＹｅｓ）、現在の環境状態を状態Ａとして、メモリ２０に保存する（ステップＳ１５）。
【００２８】
一方、計測された湿度が基準値未満の場合には（ステップＳ１４のＮｏ）、現在の環境状態を状態Ｂとして、メモリ２０に保存する（ステップＳ１６）。
【００２９】
これに対し、携帯電話端末１００は、ステップＳ１３において湿度データを計測した後、ステップＳ１７において、その計測された湿度が基準値以上か基準値未満かを判定し、計測された湿度が基準値以上の場合には（ステップＳ１７のＹｅｓ）、現在の環境状態を状態Ｃとして、メモリ２０に保存する（ステップＳ１８）。
【００３０】
一方、計測された湿度が基準値未満の場合には（ステップＳ１７のＮｏ）、現在の環境状態を状態Ｄとして、メモリ２０に保存する（ステップＳ１９）。
【００３１】
このように、携帯電話端末１００が、センサ４０を用いて、環境情報取得処理（図２のステップＳ０１）を行うことにより、環境情報としての温度データと湿度データを取得し、状態ごとにグループ分けを行うことができる。
【００３２】
また、この環境情報取得処理（図２のステップＳ０１）で取得した環境情報から、状態ごとにグループ分けした一例を、図４に示す。
【００３３】
図４に示す環境情報によるグループ分けは、温度の基準値を１５℃に設定し、湿度を５０％に設定した場合の一例である。
【００３４】
図４に示す環境情報によるグループ分けでは、計測した温度が１５℃以上かつ計測した湿度が５０％以上の場合には、計測された温度と湿度は、状態Ａとして保存される。
【００３５】
また、計測した温度が１５℃以上かつ計測した湿度が５０％未満の場合には、計測された温度と湿度は、状態Ｂとして保存される。
【００３６】
また、計測した温度が１５℃未満かつ計測した湿度が５０％以上の場合には、計測された温度と湿度は、状態Ｃとして保存される。
【００３７】
また、計測した温度が１５℃未満かつ計測した湿度が５０％未満の場合には、計測された温度と湿度は、状態Ｄとして保存される。
【００３８】
次に、ステップＳ０２における音楽データ分類処理（図２）について、図５に示すフローチャートを用いて詳細に説明する。
【００３９】
図５に示すフローチャートでは、携帯電話端末１００が、携帯電話６０に格納された音楽データに対し、一曲ずつ音質データの計測とテンポの計測を行い、その計測データに応じて、その音楽データのグループ分けの処理を行うようになっている。
【００４０】
まず、携帯電話端末１００は、携帯電話６０に格納された全部の音楽データを対象に、読み取りを開始する（ステップＳ３０）。
【００４１】
そして、携帯電話端末１００は、携帯電話６０に格納された音楽データの中から任意の１曲の音楽データを選定し、その曲から順番に１曲ずつ音楽データを計測する（ステップＳ３１）。
【００４２】
まず、携帯電話端末１００は、選定された音楽データに対し、読取処理部５０が音質データを計測する（ステップＳ３２）。
【００４３】
そして、携帯電話端末１００は、読取処理部５０によって計測された音質データに対し、その音質が基準値以上か基準値未満かを判定する（ステップＳ３３）。
【００４４】
ここで、計測された音質が基準値以上の場合には（ステップＳ３３のＹｅｓ）、ステップＳ３４へ進み、読取処理部５０は、その音楽データのテンポを、テンポ速度として計測する。
【００４５】
一方、計測された音質が基準値未満の場合には（ステップＳ３３のＮｏ）、ステップＳ３５へ進み、読取処理部５０は、その音楽データのテンポを、テンポ速度として計測する。
【００４６】
そして、携帯電話端末１００は、ステップＳ３４において計測されたテンポ速度が、基準値以上か基準値未満かを判定し（ステップＳ３６）、計測されたテンポ速度が基準値以上の場合には（ステップＳ３６のＹｅｓ）、その音楽データを、グループＤＤとしてメモリ２０に保存する（ステップＳ３７）。
【００４７】
一方、計測されたテンポ速度が基準値未満の場合には（ステップＳ３６のＮｏ）、その音楽データを、グループＢＢとしてメモリ２０に保存する（ステップＳ３８）。
【００４８】
これに対し、携帯電話端末１００は、ステップ３５においてテンポ速度を計測した後、ステップＳ３９において、その計測されたテンポ速度が基準値以上か基準値未満かを判定し、計測されたテンポ速度が基準値以上の場合には（ステップＳ３９のＹｅｓ）、その音楽データを、グループＣＣとしてメモリ２０に保存する（ステップ４０）。
【００４９】
一方、計測されたテンポ速度が基準値未満の場合には（ステップＳ３９のＮｏ）、その音楽データを、グループＡＡとしてメモリ２０に保存する（ステップＳ４１）。
【００５０】
そして、携帯電話端末１００は、ステップＳ４２において、全ての音楽データに対して計測が済んだか否か判定を行うようになっており、計測していない音楽データがあれば、ステップＳ３１に戻り、計測していない音楽データの計測を行う。
【００５１】
このように、携帯電話端末１００は、読取処理部５０が携帯電話６０に格納された音楽データの音質データとテンポ速度を計測し、全ての曲に対して曲ごとにグループ分けを行うことができる。
【００５２】
また、この音楽データ分類処理（図２のステップＳ０２）によって分類されたグループの一例を、図６に示す。
【００５３】
図６に示す音楽データ分類処理によるグループ分けは、音質を２ｋＨｚに設定し、テンポ速度を１２０に設定した場合の一例である。
【００５４】
図６に示す音楽データ分類処理によるグループ分けでは、計測した音質データが２ｋＨｚ以上かつ計測したテンポ速度が１２０以上の場合には、その音楽データは、読取処理部５０により、グループＤＤに保存される。
【００５５】
また、計測した音質データが２ｋＨｚ以上かつ計測したテンポ速度が１２０未満の場合には、その音楽データは、読取処理部５０により、グループＢＢに保存される。
【００５６】
また、計測した音質データが２ｋＨｚ未満かつ計測したテンポ速度が１２０以上の場合には、その音楽データは、読取処理部５０により、グループＣＣに保存される。
【００５７】
また、計測した音質データが２ｋＨｚ未満かつ計測したテンポ速度が１２０未満の場合には、その音楽データは、読取処理部５０により、グループＡＡに保存される。
【００５８】
次に、ステップＳ０３におけるグループ選択再生処理（図２）について、図７に示すフローチャートを用いて詳細に説明する。
【００５９】
図７に示すフローチャートでは、携帯電話端末１００の再生制御処理部１０が、メモリ２０から、環境情報取得処理で計測され保存された状態の読み込みを行う（ステップＳ５０）。
【００６０】
この場合、例えば、図３の環境情報取得処理において、状態Ａがメモリ２０に保存されていたとする。
【００６１】
そうすると、再生制御処理部１０は、ユーザの現在置かれている状態が状態Ａであると認識し、現在の状態Ａに合うように対応付けられたグループＡＡに保存された音楽データを、メモリ２０から選択する（ステップＳ５１）。
【００６２】
そして、再生制御処理部１０は、選択されたグループＡＡに属する音楽データを、ランダムに再生することができる（ステップＳ５２）。
【００６３】
ここで、このグループＡＡに属する音楽データは、ランダムに再生されることに限定されず、音楽データが複数ある場合には、アルファベット順に再生されるようにしてもよく、また或いは、再生時間の短い音楽データから再生されるようにしてもよい。
【００６４】
これにより、再生制御処理部１０は、再生される音楽データを、音声出力部３０を介して外部に出力することにより、ユーザの置かれた環境に適した音楽を再生することができる（ステップＳ５３）。
【００６５】
なお、再生制御処理部１０は、ステップＳ５１において、状態ＡとグループＡＡとが対応付けられており、また同様に、状態ＢとグループＢＢ、状態ＣとグループＣＣ、状態ＤとグループＤＤとがそれぞれ対応付けられていることとする。
【００６６】
また、これらの対応付けは、状態とグループが選択可能に対応していればよく、グループの分類方法や状態の分類方法、又は分類の数に限定されるものではない。
【００６７】
次に、本実施の形態による更に具体的な実施の形態について、図８に示すフローチャートを用いて説明する。
【００６８】
なお、同一の処理内容には同一のステップを付すこととし、同一のステップの動作については説明を省略する。
【００６９】
図８に示すフローチャートは、図２に示したフローチャートに対し、更に具体的な実施の形態の処理を示したものである。
【００７０】
携帯電話端末１００は、センサ４０を備えており、センサ４０が温度データを計測する（ステップＳ１０）。また、携帯電話端末１００は、センサ４０が湿度データを計測する（ステップＳ１２−１）。
【００７１】
そして、携帯電話端末１００は、センサ４０によって計測された温度データと湿度データを元に、現在の環境状態を状況に則した状態ごとに分類する（ステップＳ１４−１）。
【００７２】
これにより、携帯電話端末１００は、ユーザの位置する現在の環境状態を、状態ごとに分類してメモリ２０に保存する（ステップＳ１５−１）。
【００７３】
そして、携帯電話端末１００は、読取処理部５０が携帯電話６０に格納されている音楽データに対して、音質データを計測する（ステップＳ３２）。また、携帯電話端末１００は、読取処理部５０がテンポの速度をテンポ速度として計測する（ステップＳ３４−１）。
【００７４】
そして、携帯電話端末１００は、読取処理部５０によって計測された音質データとテンポ速度を元に、音楽データをグループに分類する（ステップＳ３６−１）。
【００７５】
これにより、携帯電話端末１００は、読取処理部５０によって分類された音楽データを、グループごとにメモリ２０に保存する（ステップＳ３７−１）。
【００７６】
そして、携帯電話端末１００は、上述したステップＳ５１からステップＳ５３の処理を実行することにより、音声出力部３０を介して、ユーザの置かれた環境に適した音楽を再生することができる。
【００７７】
以上の説明のように、本発明の実施の形態によれば、携帯電話端末１００は、ユーザを取り巻く環境に最も適した音楽を再生することができる。
【００７８】
また、本実施の形態では、図２のフローチャートにおいて、ステップＳ０２の音楽データ分類処理が、ステップＳ０１の環境情報取得処理の後に実施されるようになっていたが、本実施の形態はこれに限らず、予め音楽データを図５のフローチャートに従って、分類しておいても良い。
【００７９】
この場合、ユーザが携帯電話端末１００の携帯電話６０に音楽データを格納する際に、読取処理部５０が予め音質データとテンポ速度を計測し、その計測データをメモリ２０に保存するようにすれば良い。
【００８０】
これにより、この携帯電話端末１００は、ユーザを取り巻く環境において、温度や湿度などの環境情報に変化が生じた場合にも、その環境情報の変化に応じて再生する音楽データを変更することができる。
以上、図面を参照して本発明の実施の形態について述べたが、これらは本発明の例示であり、上記以外の様々な構成を採用することもできる。
【図面の簡単な説明】
【００８１】
【図１】実施の形態に係る携帯電話端末の構成を示すブロック図である。
【図２】実施の形態に係る携帯電話端末の全体動作を示すフローチャートである。
【図３】実施の形態に係る環境情報取得処理の動作を示すフローチャートである。
【図４】実施の形態に係る環境情報によるグループ分けの一例を示した図である。
【図５】実施の形態に係る音楽データ分類処理の動作を示すフローチャートである。
【図６】実施の形態に係る音楽データ分類処理によるグループ分けの一例を示した図である。
【図７】実施の形態に係るグループ選択再生処理の動作を示すフローチャートである。
【図８】実施の形態に係る更に具体的な実施の形態の全体動作を示すフローチャートである。
【符号の説明】
【００８２】
１０    再生制御処理部
１００    携帯電話端末
２０    メモリ
３０    音声出力部
４０    センサ
５０    読取処理部
６０    携帯電話
Ａ、Ｂ、Ｃ、Ｄ    状態ごとのグループ分け
ＡＡ、ＢＢ、ＣＣ、ＤＤ    音楽データのグループ分け
【図１】
2009200948.tif 000003
【図２】
2009200948.tif 000004
【図３】
2009200948.tif 000005
【図４】
2009200948.tif 000006
【図５】
2009200948.tif 000007
【図６】
2009200948.tif 000008
【図７】
2009200948.tif 000009
【図８】
2009200948.tif 000010